(57)【要約】      （修正有）【課題】電飾花輪用光源体につき、これをコンパクトな構造にすることで、汎用性を高めるとともに、これを用いた電飾花輪をより簡便に製作できる電飾花輪用光源体を提供する。また、電飾花輪用電光表示体につき、該電光表示体に表示される内容を自動的に変更できる電飾花輪用電光表示体を提供する。あわせてこれらを用いる電飾花輪本体及び電飾花輪を提供する。【解決手段】電飾花輪１は、装飾体４と電飾花輪用光源体２と電飾花輪用電光表示体３と調光器と変換機とを備える電飾花輪本体７と、立設具８と、表示板９と、電線１０とからなる。電飾花輪用光源体２は、収容体と、電気回路基板と、発光ダイオード素子と、防水材と、蓋体とからなる。電飾花輪用電光表示体３は、収容体と、支持台と、電気回路基板と、発光ダイオード素子と、制御装置と、変換機とからなる。【選択図】図１
0003199215.tif 000002
【実用新案登録請求の範囲】
【請求項１】
電飾花輪の光源として用いる電飾花輪用光源体であって、収容体と、電気回路基板と、発光ダイオード素子と、防水材とからなり、該収容体は、該電気回路基板と該発光ダイオード素子と該防水材とを収容するための容器であって、平面視細長状の部材であり、収容凹部が形成されており、該電気回路基板は、該発光ダイオード素子を制御するための電気回路基板であって、該収容凹部の上面に取り付けられており、該発光ダイオード素子は、該電飾花輪用光源体の光源となる部材であって、複数個の該発光ダイオード素子が該電気回路基板の上面に直線上に並んで取り付けられており、該防水材は、該電飾花輪用光源体の防水を図るための部材であって、防水性及び透光性のある材料によって形成されており、該電気回路基板及び該発光ダイオード素子の上部を覆っていることを特徴とする電飾花輪用光源体。
【請求項２】
請求項１に記載した電飾花輪用光源体であって、前記収容体の上部には前記収容凹部を覆うように蓋体が備えられており、該蓋体は、透光性のある材料によって形成されており、平面視細長状の板状の部材であって、その中央部には長さ方向へと直線状に延びる上方へと突出する湾曲部が設けられていることを特徴とする電飾花輪用光源体。
【請求項３】
電飾花輪において看者に提供する情報を電光表示するための電飾花輪用電光表示体であって、収容体と、支持台と、電気回路基板と、発光ダイオード素子と、制御装置と、変換機とからなり、該収容体は、該支持台と該電気回路基板と該発光ダイオード素子と該制御装置と該変換機とを収容するための容器であって、透光性のある材料によって形成されていて、中空に成形されており、該支持台は、該電気回路基板と該発光ダイオード素子と該制御装置と該変換機とを該収容体の内部に支持するための部材であって、台状の部材であり、該電気回路基板は、該発光ダイオード素子を制御するための電気回路基板であって、該支持台の上面に取り付けられており、該発光ダイオード素子は、該電飾花輪用電光表示体の光源となる部材であって、複数個の該発光ダイオード素子が該電気回路基板の上部に面状に配置されて取り付けられており、該制御装置は、該電気回路基板を制御するための装置であって、該電気回路基板に接続されており、該変換機は、交流電流を直流電流に変換して該発光ダイオード素子に供給するための装置であって、該電気回路基板に接続されていることを特徴とする電飾花輪用電光表示体。
【請求項４】
電飾花輪を形成する電飾花輪本体であって、装飾体を備えており、請求項１又は２に記載した電飾花輪用光源体を該装飾体に備えており、及び／又は、請求項３に記載した電飾花輪用電光表示体を該装飾体に備えていることを特徴とする電飾花輪本体。
【請求項５】
請求項４に記載した電飾花輪本体に立設具を備える電飾花輪であって、該立設具は、該電飾花輪本体を立設するための用具であり、該立設具は、嵌合部材と、嵌入部材と、台座と、脚車とからなり、該嵌合部材は該電飾花輪本体の背面に取り付けられていて、該嵌入部材は該台座の上面に取り付けられており、該脚車は該台座の下面に取り付けられていることを特徴とする電飾花輪。
【請求項６】
請求項５に記載した電飾花輪であって、看者に提供する情報を表示するための表示板を前記立設具に備えていることを特徴とする電飾花輪。
【考案の詳細な説明】
【技術分野】
【０００１】
本考案は、開店祝いや改装祝い等の慶祝行事あるいは冠婚葬祭等の各種の行事に際して用いられる電飾花輪につき、該電飾花輪の光源として用いる電飾花輪用光源体及び該電飾花輪において看者に提供する情報を電光表示するための電飾花輪用電光表示体に関するとともに、該電飾花輪用光源体及び該電飾花輪用電光表示体を用いる電飾花輪本体、及び該電飾花輪本体を用いる電飾花輪に関する。
【背景技術】
【０００２】
従来、上記のような各種の行事に際して、これらの行事を一層美しく装飾し、あるいは顧客に対する広告宣伝効果を発揮するために、電飾花輪用光源体及び電飾花輪用電光表示体を装飾体に備える電飾花輪本体と、該電飾花輪本体を立設するための立設具と、該立設具に取り付けて看者に提供する情報を表示するための表示板とを有する電飾花輪が用いられてきたところである。
【０００３】
上記のような電飾花輪によれば、電飾花輪用光源体を備えていることから、看者に対する訴求力が増大し、また昼夜を問わず看者の視認性が高まるため、各種の行事を一層美しく装飾し、そして顧客に対する広告宣伝効果を発揮するのには好適である。このような電飾花輪としては、例えば、その表面に保護膜、その下に透明電極層、その下に発光層、更にその下に電極層、最下層に保護膜とが順番に積層され、全体としてシート状に形成され、該透明電極層と該電極層に電圧を印加することによって、該発光層が発光するように構成されたエレクトロルミネッセンス発光部材から形成される電飾花輪用光源体を用いた電飾花輪（例えば、特許文献１参照。）、中心電極を中心として、その周囲に発光層と、透明電極と、保護膜とが順番に巻回され、全体としてケーブル状に形成され、該中心電極と該透明電極との間に電圧を印加することにより、該発光層が発光するように構成されたエレクトロルミネッセンス発光部材から形成される電飾花輪用光源体を用いた電飾花輪（例えば、特許文献２参照。）、あるいは発光ダイオードを電飾花輪用光源体として用いた電飾花輪（例えば、特許文献３、４、５参照。）等が提案されている。
【０００４】
また、上記のような電飾花輪によれば、電飾花輪用電光表示体を備えていることから、看者に対する訴求力が増大し、また昼夜を問わず看者の視認性が高まるため、各種の行事を一層美しく装飾し、そして顧客に対する広告宣伝効果を発揮するのには好適である。特に、該電飾花輪用電光表示体に表示される文字、記号、図形等の各種の内容を変更できるようにすると、看者を飽きさせることがなくなるため、好適である。このような電飾花輪としては、例えば、所定の文字等の形状に切り抜いて形成した紙材やプラスチックシート等の合成樹脂材を発光面上に貼り付けたり、あるいはフェルトペン等の筆記具等を用いて該発光面上に直接文字等を記載したりした後、上記のようにして該発光面上に貼り付けた紙材等を剥がして他の文字等の形状に切り抜いた紙材等を該発光面上に貼り付けたり、あるいは該発光面上に記載した文字等を拭き取って書き替えたりして該電飾花輪用電光表示体に表示される内容を変更できる電飾花輪（例えば、特許文献６参照。）、基板上に備えられた多数の電子発光素子の前方に位置する透光板にマスキングによって文字等を形成し、該マスキングを交換することによって該電飾花輪用電光表示体に表示される内容を変更することができる電飾花輪（例えば、特許文献７参照。）等が提案されている。
【先行技術文献】
【特許文献】
【０００５】
【特許文献１】特開２００５−３３６６８７号公報
【特許文献２】特開２００２−２６６１４６号公報
【特許文献３】特開平１０−２０４７１１号公報
【特許文献４】特開平８−２１８２１２号公報
【特許文献５】実登３０３８５０７号公報
【特許文献６】特開２００４−２７４４６号公報
【特許文献７】特開２００２−１０２０５０号公報
【考案の概要】
【考案が解決しようとする課題】
【０００６】
しかしながら、上記の従来技術に係る電飾花輪用光源体にあっては、電飾花輪本体の形態には花形や星形あるいはハート形といった様々な形態のものがあるところ、該電飾花輪本体の形態にあわせて該電飾花輪用光源体の形態やこれを構成する部材の該電飾花輪用光源体における配置を逐一変更しなければならず、該電飾花輪用光源体を用いる電飾花輪を製作する作業が煩雑であるという問題があった。そこで、本考案の解決しようとする第一の課題は、電飾花輪の光源として用いる電飾花輪用光源体につき、これをコンパクトな構造にすることによって、その汎用性を高めるとともに、これを用いた電飾花輪をより簡便に製作することができるようにした電飾花輪用光源体を提供することにある。
【０００７】
また、上記の従来技術に係る電飾花輪用電光表示体にあっては、上記のように該発光面上に貼り付けた紙材等を交換したり、該発光面上に記載した文字等を書き替えたり、あるいはマスキングを交換する等、該電飾花輪用電光表示体に表示する内容を変更する作業が煩雑であるという問題があった。そこで、本考案の解決しようとする第二の課題は、電飾花輪において看者に提供する情報を電光表示するための電飾花輪用電光表示体につき、該電飾花輪用電光表示体に表示される内容を自動的に変更することができる電飾花輪用電光表示体を提供することにある。
【課題を解決するための手段】
【０００８】
本考案は、上記の各課題を解決するために提案されたものであり、以下の構成を有するものである。以下では、本考案の構成を理解するのを補助するため、本願に添付した図面に表示した番号及び符号をあわせて記載する。
【０００９】
請求項１に係る電飾花輪用光源体（２）は、電飾花輪（１）の光源として用いる電飾花輪用光源体であって、収容体（２ａ）と、電気回路基板（２ｂ）と、発光ダイオード素子（２ｃ）と、防水材（２ｄ）とからなる。収容体（２ａ）は、電気回路基板（２ｂ）と発光ダイオード素子（２ｃ）と防水材（２ｄ）とを収容するための容器であって、平面視細長状の部材であり、収容凹部が形成されている。電気回路基板（２ｂ）は、発光ダイオード素子（２ｃ）を制御するための電気回路基板であって、該収容凹部の上面に取り付けられている。発光ダイオード素子（２ｃ）は、電飾花輪用光源体（２）の光源となる部材であって、複数個の発光ダイオード素子（２ｃ）が電気回路基板（２ｂ）の上面に直線上に並んで取り付けられている。防水材（２ｄ）は、電飾花輪用光源体（２）の防水を図るための部材であって、防水性及び透光性のある材料によって形成されており、電気回路基板（２ｂ）及び発光ダイオード素子（２ｃ）の上部を覆っている。
【００１０】
請求項２に係る電飾花輪用光源体（２）は、請求項１に記載した電飾花輪用光源体（２）であって、収容体（２ａ）の上部には前記収容凹部を覆うように蓋体（２ｅ）が備えられており、蓋体（２ｅ）は、透光性のある材料によって形成されており、平面視細長状の板状の部材であって、その中央部には長さ方向へと直線状に延びる上方へと突出する湾曲部が設けられている。
【００１１】
請求項３に係る電飾花輪用電光表示体（３）は、電飾花輪（１）において看者に提供する情報を電光表示するための電飾花輪用電光表示体であって、収容体（３ａ）と、支持台（３ｂ）と、電気回路基板（３ｃ）と、発光ダイオード素子（３ｄ）と、制御装置（３ｅ）と、変換機（３ｆ）とからなる。収容体（３ａ）は、支持台（３ｂ）と電気回路基板（３ｃ）と発光ダイオード素子（３ｄ）と制御装置（３ｅ）と変換機（３ｆ）とを収容するための容器であって、透光性のある材料によって形成されており、中空に成形されている。支持台（３ｂ）は、電気回路基板（３ｃ）と発光ダイオード素子（３ｄ）と制御装置（３ｅ）と変換機（３ｆ）とを収容体（３ａ）の内部に支持するための部材であって、台状の部材である。電気回路基板（３ｃ）は、発光ダイオード素子（３ｄ）を制御するための電気回路基板であって、支持台（３ｂ）の上面に取り付けられている。発光ダイオード素子（３ｄ）は、電飾花輪用電光表示体（３）の光源となる部材であって、複数個の発光ダイオード素子（３ｄ）が電気回路基板（３ｃ）の上部に面状に配置されて取り付けられている。制御装置（３ｅ）は、電気回路基板（３ｃ）を制御するための装置であって、電気回路基板（３ｃ）に接続されている。変換機（３ｆ）は、交流電流を直流電流に変換して発光ダイオード素子（３ｄ）に供給するための装置であって、電気回路基板（３ｃ）に接続されている。
【００１２】
請求項４に係る電飾花輪本体（７）は、電飾花輪（１）を形成する電飾花輪本体であって、装飾体（４）を備えており、請求項１又は２に記載した電飾花輪用光源体（２）を装飾体（４）に備えており、及び／又は、請求項３に記載した電飾花輪用電光表示体（３）を装飾体（４）に備えている。
【００１３】
請求項５に係る電飾花輪（１）は、請求項４に記載した電飾花輪本体（７）に立設具（８）を備えた電飾花輪である。立設具（８）は、電飾花輪本体（７）を立設するための用具である。立設具（８）は、嵌合部材（８ａ）と、嵌入部材（８ｂ）と、台座（８ｃ）と、脚車（８ｄ）とからなる。嵌合部材（８ａ）は電飾花輪本体（７）の背面に取り付けられていて、嵌入部材（８ｂ）は台座（８ｃ）の上面に取り付けられており、脚車（８ｄ）は台座（８ｃ）の下面に取り付けられている。
【００１４】
請求項６に係る電飾花輪（１）は、請求項５に記載した電飾花輪（１）であって、看者に提供する情報を表示するための表示板（９）を立設具（８）に備えている。
【考案の効果】
【００１５】
本考案に係る電飾花輪用光源体、電飾花輪用電光表示体、これらを用いる電飾花輪本体、及び該電飾花輪本体を用いる電飾花輪は、上記の通りの構成であるから、以下のような効果を奏することができる。
【００１６】
まず、請求項１に記載した電飾花輪用光源体（２）は、電気回路基板（２ｂ）と発光ダイオード素子（２ｃ）と防水材（２ｄ）とが収容体（２ａ）に形成された収容凹部内に収容されており、コンパクトな構造にまとめられている。そうすると、上記のように電飾花輪本体（７）の形態には様々な形態のものがあるが、電飾花輪本体（７）の形態にあわせて電飾花輪用光源体（２）の形態やこれを構成する部材の電飾花輪用光源体（２）における配置を逐一変更することなく電飾花輪（１）の製作に用いることができ、電飾花輪（１）を簡便に製作することができる。
【００１７】
また、請求項２に記載した電飾花輪用光源体（２）は、コンパクトな構造にまとめられていながら、収容体（２ａ）の上部には前記収容凹部を覆うように蓋体（２ｅ）が備えられているため、電気回路基板（３ｃ）や発光ダイオード素子（３ｄ）に悪影響を及ぼすおそれのある有害な紫外線の収容体（２ａ）内への侵入を防止することができるとともに、蓋体（２ｅ）には上方へと突出する湾曲部が設けられているために発光ダイオード素子（２ｃ）によって発せられた電光を拡散することができ、かつ、電飾花輪用光源体（２）の装飾性を増大させることができるため、好適である。
【００１８】
従って、請求項１及び２に記載した電飾花輪用光源体（２）は、電飾花輪の光源として用いる電飾花輪用光源体につき、これをコンパクトな構造にすることによって、その汎用性を高めるとともに、これを用いた電飾花輪をより簡便に製作することができるようにした電飾花輪用光源体を提供するという本考案の解決しようとする第一の課題を解決することができる。
【００１９】
次に、請求項３に記載した電飾花輪用電光表示体（２）は、発光ダイオード素子（３ｄ）を制御する電気回路基板（３ｃ）を制御するための制御装置（３ｅ）が備えられている。そうすると、電飾花輪用電光表示体（２）は、制御装置（３ｅ）に読み込まれたプログラムの内容に応じて、電気回路基板（３ｃ）の上面に取り付けられた所望の位置にある発光ダイオード素子（３ｄ）を点灯させたり消灯させたりあるいは点滅等させることによって、電飾花輪用電光表示体（２）に表示される文字、記号、図形等の各種の内容を自動的に変更することができる。
【００２０】
従って、請求項３に記載した電飾花輪用電光表示体（３）は、電飾花輪において看者に提供する情報を電光表示するための電飾花輪用電光表示体につき、該電飾花輪用電光表示体に表示される内容を自動的に変更することができる電飾花輪用電光表示体を提供するという本考案の解決しようとする第二の課題を解決することができる。
【００２１】
もちろん、請求項４に係る電飾花輪本体（７）は、請求項１又は２に記載した電飾花輪用光源体（２）を装飾体（４）に備えており、及び／又は、請求項３に記載した電飾花輪用電光表示体（３）を装飾体（４）に備えているところであり、更に請求項５に係る電飾花輪（１）は請求項４に記載した電飾花輪本体（７）を備えているところであるから、看者に対する訴求力が増大し、また昼夜を問わず看者の視認性が高まるため、各種の行事を一層美しく装飾し、あるいは顧客に対する広告宣伝効果を発揮するのには好適である。あわせて、電飾花輪用電光表示体（２）に表示される各種の内容を変更できるため、看者を飽きさせることがなく、好適である。
【００２２】
また、請求項４に記載した電飾花輪本体（７）が電飾花輪用電光表示体（２）及び電飾花輪用電光表示体（３）を備えることによって重量を有することがあったとしても、請求項５に係る電飾花輪（１）は、立設具（８）を備えているために、電飾花輪本体（７）の背面に取り付けられている嵌合部材（８ａ）内に台座（８ｃ）の上面に取り付けられている嵌入部材（８ｂ）を嵌入させることによって簡便に電飾花輪本体（７）を立設することができ、台座（８ｃ）の下面に取り付けられている脚車（８ｄ）を駆動させて簡便に移動させることができる。
【００２３】
そして、請求項６に係る電飾花輪（１）は、請求項５に記載した電飾花輪（１）であって、看者に提供する情報を表示するための表示板（９）を立設具（８）に備えているため、看者に対して一層多くの情報を提供することができ、好適である。
【図面の簡単な説明】
【００２４】
【図１】本考案の一実施形態に係る電飾花輪用光源体及び電飾花輪用電光表示体を用いた電飾花輪を示した説明図である。
【図２】本考案の一実施形態に係る電飾花輪用光源体及び電飾花輪用電光表示体を用いた電飾花輪本体を示した説明図である。
【図３】図２における電飾花輪本体のＡ−Ａ線切断部端面図である。
【図４】本考案の一実施形態に係る電飾花輪用光源体を示した断面図である。
【考案を実施するための形態】
【００２５】
以下に、本考案の一実施形態に係る電飾花輪用光源体、電飾花輪用電光表示体、これらを用いる電飾花輪本体、及び該電飾花輪本体を用いる電飾花輪の構造及びその使用態様について添付図面に基づいて説明する。
【００２６】
本考案の一実施形態に係る電飾花輪（１）は、図１に図示するように、電飾花輪本体（７）と、立設具（８）と、表示板（９）とからなる。
【００２７】
電飾花輪本体（７）は、図１ないし３に図示するように、装飾体（４）と、電飾花輪用光源体（２）、電飾花輪用電光表示体（３）と、調光器（５）と、変換機（６）とからなる。
【００２８】
装飾体（４）は、図１ないし３に図示するように、例えばバラの花を模して、正面視正円板状の基板（４ａ）の上面に３つの平面視正四角形状の枠体（４ｂ）をそれぞれに角度が異なるように積み重ねて取り付けて形成しているが、その形態は特に限定されない。尚、基板（４ａ）の周縁が鋭利であると人が接触した際に負傷することがあるため、基板（４ａ）の周縁には正面に向って立ち上がるように壁を設けることによって人が接触して負傷することを防止するのが好適である。
【００２９】
ここで、電飾花輪（１）は、屋外に設置して用いられることが多いところ、風雨に晒されることも多くある。そこで、装飾体（４）は、例えばポリエチレン等の樹脂素材を芯材としてその表面にポリエステル等による塗装を施したアルミニウム薄板等を面材として挟み込んだアルミニウム樹脂複合板等を用いて形成すると、耐久性があって好適である。
【００３０】
電飾花輪用光源体（２）は、電飾花輪（１）の光源として用いる部材であって、図４に図示するように、収容体（２ａ）と、電気回路基板（２ｂ）と、発光ダイオード素子（２ｃ）と、防水材（２ｄ）と、蓋体（２ｅ）とからなる。
【００３１】
収容体（２ａ）は、電気回路基板（２ｂ）と発光ダイオード素子（２ｃ）と防水材（２ｄ）とを収容するための容器であって、平面視細長状の部材であり、収容凹部が形成されている。収容体（２ａ）は、耐久性に優れており、また加工が容易なＡＢＳ樹脂等によって成形するのが好適である。
【００３２】
電気回路基板（２ｂ）は、発光ダイオード素子（２ｃ）を制御するための電気回路基板であって、該収容凹部の上面に取り付けられている。発光ダイオード素子（２ｃ）は発光に伴って発熱し高温になることもあるところ、電気回路基板（２ｂ）に用いる基板は、難燃性を備えるガラスエポキシ基板（ＦＲ−４）を用いるのが好適である。
【００３３】
発光ダイオード素子（２ｃ）は、電飾花輪用光源体（２）の光源となる部材であって、複数個の発光ダイオード素子（２ｃ）が電気回路基板（２ｂ）の上面に直線上に並んで取り付けられている。図では平面視正方形状の発光ダイオード素子（２ｃ）を用いているが、特にその形状は限定されない。また、図では３個の発光ダイオード素子（２ｃ）が取り付けられているが、特にその数も限定されない。即ち、発光ダイオード素子（２ｃ）は、様々な形状、色彩、大きさを備えた発光ダイオード素子を用いることができ、またこれらを組み合わせて用いることも可能である。
【００３４】
防水材（２ｄ）は、電飾花輪用光源体（２）の防水を図るための材料であって、防水性及び透光性のある材料で形成されており、電気回路基板（２ｂ）及び発光ダイオード素子（２ｃ）の上面を覆っている。防水材（２ｄ）としては、例えば各種の透光性のある樹脂素材を用いることができる。
【００３５】
蓋体（２ｅ）は、透光性のある材料によって形成されており、平面視細長状の板状の部材であって、その中央部には長さ方向へと直線状に延びる上方へと突出する湾曲部が設けられている。蓋体（２ｅ）は、例えば各種の透光性のある樹脂素材を成形して作製することができる。蓋体（２ｅ）は、収容体（２ａ）の上部左右に設けられた係止部にその左右両端部を挟み込むことによって、前記収容凹部を覆うように収容体（２ａ）の上部に取り付けられている。
【００３６】
電飾花輪用光源体（２）には、電力の供給を受けるための電線（１０）が接続されている。電線（１０）は、電線案内孔（４ｃ）を通して電飾花輪本体（７）の内部ないし背面から案内されており、複数の電飾花輪用光源体（２）を相互に連結するとともに、基板（４ａ）に取り付けられている発光ダイオード素子（２ｃ）の光量を調節するための調光器（５）と連結されている。
【００３７】
電線（１０）は、更に基板（４ａ）に取り付けられている交流電流を直流電流に変換して供給するための変換機（６）を介して、電飾花輪（１）の外部にある電源と連結されている。
【００３８】
電飾花輪用光源体（２）は、上記のように電気回路基板（２ｂ）と発光ダイオード素子（２ｃ）と防水材（２ｄ）とが収容体（２ａ）に形成された収容凹部内に収容されており、コンパクトな構造にまとめられているため、いかなる形態の電飾花輪本体（７）であっても、電飾花輪本体（７）の形態にあわせて電飾花輪用光源体（２）の形態やこれを構成する部材の電飾花輪用光源体（２）における配置を逐一変更することなく電飾花輪（１）の製作に用いることができ、電飾花輪（１）を簡便に製作することができる。
【００３９】
また、電飾花輪用光源体（２）は、防水材（２ｄ）が電気回路基板（２ｂ）及び発光ダイオード素子（２ｃ）の上面を覆うことによって、その防水性を向上させているため、好適である。ここで、防水材（２ｄ）は、透光性のある素材であるから、発光ダイオード素子（２ｃ）の上面を覆っていても、発光ダイオード素子（２ｃ）からの照射には支障がない。
【００４０】
また、収容体（２ａ）の上部には前記収容凹部を覆うように蓋体（２ｅ）が備えられているため、電気回路基板（２ｂ）や発光ダイオード素子（２ｃ）に悪影響を及ぼすおそれのある有害な紫外線の収容体（２ａ）内への侵入を防止することができるとともに、蓋体（２ｅ）には上方へと突出する湾曲部が設けられているために発光ダイオード素子（２ｃ）によって発せられた電光を拡散することができ、かつ、電飾花輪用光源体（２）の装飾性を増大させることができるため、好適である。
【００４１】
尚、図では、複数の電飾花輪用光源体（２）は、装飾体（４）において、基板（４ａ）の上面の周縁に正円状に配置されて取り付けられているとともに、それぞれの枠体（４ｂ）の上面に正四角形状に配置されて取り付けられているが、その配置は特に限定されない。
【００４２】
電飾花輪用電光表示体（３）は、電飾花輪（１）において看者に提供する情報を電光表示するための電飾花輪用電光表示体であって、図１ないし３に図示するように、収容体（３ａ）と、支持台（３ｂ）と、電気回路基板（３ｃ）と、発光ダイオード素子（３ｄ）と、制御装置（３ｅ）と、変換機（３ｆ）とからなる。尚、電飾花輪用電光表示体（３）は、電飾花輪本体（７）の正面中央に配置されているが、特にその配置する場所は限定されない。
【００４３】
収容体（３ａ）は、支持台（３ｂ）と電気回路基板（３ｃ）と発光ダイオード素子（３ｄ）と制御装置（３ｅ）と変換機（３ｆ）とを収容体内に収容するための容器であって、中空に形成されている。収容体（３ａ）は、電飾花輪（１）の形態にあわせて様々な形状にすることができ、図では中空の円柱状の部材であるが、特にこの形状に限定されない。収容体（３ａ）は、例えばアクリル樹脂製の板状部材等の透光性の高い材料を用いて成形すると、好適である。収容体（３ａ）は、図示するように、平面視Ｌ字形の留め具（３ｇ）を介して、螺子等を用いて基板（４ａ）に取り付けられているが、収容体（３ａ）と基板（４ａ）との間にシリコーン製のオーリング（３ｈ）を挟み込んでおくと、収容体（３ａ）と基板（４ａ）との間からの収容体（３ａ）内への雨水の侵入等を防ぐことができ、好適である。
【００４４】
支持台（３ｂ）は、電気回路基板（３ｃ）と発光ダイオード素子（３ｄ）と制御装置（３ｅ）と変換機（３ｆ）とを収容体（２ａ）の内部に支持するための部材であって、台状の部材である。支持台（３ｂ）の高さを調節することによって、電飾花輪用電光表示体（３）による電光表示の明瞭性等を調節することができる。例えば、図示するように、基板（４ａ）の上面に取り付けた柱状の部材の上部に螺子等を用いて平板状の部材を取り付けることによって、支持台（３ｂ）を形成することができる。
【００４５】
電気回路基板（３ｃ）は、発光ダイオード素子（３ｄ）を制御するための電気回路基板であって、支持台（３ｂ）の上面に取り付けられている。
【００４６】
発光ダイオード素子（３ｄ）は、電飾花輪用電光表示体（３）の光源となる部材であって、複数個の発光ダイオード素子（３ｄ）が電気回路基板（３ｃ）の上部に面状に配置されて取り付けられている。発光ダイオード素子（３ｄ）は、特にその形状及び数等は限定されない。即ち、発光ダイオード素子（３ｄ）は、様々な形状、色彩、大きさを備えた発光ダイオード素子を用いることができ、またこれらを組み合わせて用いることも可能である。
【００４７】
制御装置（３ｅ）は、電気回路基板（３ｃ）を制御するための装置であって、電気回路基板（３ｃ）に接続されている。
【００４８】
変換機（３ｆ） は、交流電流を直流電流に変換して供給するための装置であって、電気回路基板（３ｃ）に接続されている。
【００４９】
電飾花輪用電光表示体（３）には、電力の供給を受けるための電線（１０）が接続されており、電飾花輪（１）の外部にある電源と連結されている。
【００５０】
電飾花輪用電光表示体（３）は、上記のように制御装置（３ｅ）にＵＳＢメモリー等の各種の記録媒体を介して読み込ませたプログラムの内容に応じて、電気回路基板（３ｃ）の上面に取り付けられた所望の位置にある発光ダイオード素子（３ｄ）を点灯させたり消灯させたりあるいは点滅等させたりして、電飾花輪用電光表示体（２）に表示される文字、記号、図形等の各種の内容を変更することができる。即ち、図では、「祝」の文字が表示されているが、制御装置（３ｅ）に読み込ませたプログラムの内容に応じて、電気回路基板（３ｃ）の上面に取り付けられた所望の位置にある発光ダイオード素子（３ｄ）を点灯させたり消灯させたりして、例えばこれを「祭」等の他の文字に自動的に変更することができるのである。
【００５１】
また、複数の電飾花輪（１）を並べてそれぞれの電飾花輪用電光表示体（３）に異なる文字等を表示させることによって、更に多様な情報を看者に対して提示することもできる。例えば、「祝」の文字が電飾花輪用電光表示体（３）に表示されている電飾花輪（１）と「祭」の文字が電飾花輪用電光表示体（３）に表示されている電飾花輪（１）とを並べて「祝祭」という単語を表示することができる。
【００５２】
立設具（８）は、電飾花輪本体（７）を立設するための用具であって、図１に図示するように、嵌合部材（８ａ）と、嵌入部材（８ｂ）と、台座（８ｃ）と、脚車（８ｄ）とからなる。嵌合部材（８ａ）は、下面の開放されている中空の箱状部材であって、電飾花輪本体（７）の背面に取り付けられている。嵌入部材（８ｂ）は、２本の柱状部材であって、台座（８ｃ）の上面に取り付けられている。脚車（８ｄ）は、台座（８ｃ）の下面に取り付けられており、ブレーキ機構を備えている脚車を用いるのが好適である。
【００５３】
電飾花輪本体（７）が上記のような電飾花輪用電光表示体（２）及び電飾花輪用電光表示体（３）を備えることによって重量を有することがあったとしても、嵌合部材（８ａ）内に嵌入部材（８ｂ）を嵌合させることによって電飾花輪本体（７）を台座（８ｃ）上に簡便に立設することができ、また、脚車（８ｃ）が備えられているため、電飾花輪本体（７）を台座（８ｃ）上に取り付けた状態で簡便に電飾花輪（１）を移動させることができ、好適である。
【００５４】
表示板（９）は、看者に提供する情報を表示するための部材であって、図１に図示するように、平板状の部材であり、嵌合部材（８ａ）の下部の電飾花輪（１）の正面側に取り付けられている。例えば、表示板（９）が平板状の板部材であれば「新装開店」と印刷した紙や布等を貼ったり、あるいは表示板（９）が電光表示板であれば「新装開店」と電光表示したりして、看者に提供する情報を表示する。
【００５５】
電飾花輪（１）は、上記の電飾花輪用電光表示体（３）に加えて更に表示板（９）を備えているため、看者に対して一層多くの情報を提供することができ、好適である。
【符号の説明】
【００５６】
１  電飾花輪
２  電飾花輪用光源体
２ａ  収容体
２ｂ  電気回路基板
２ｃ  発光ダイオード素子
２ｄ  防水材
２ｅ  蓋体
３  電飾花輪用電光表示体
３ａ  収容体
３ｂ  支持台
３ｃ  電気回路基板
３ｄ  発光ダイオード素子
３ｅ  制御装置
３ｆ  変換機
３ｇ  留め具
３ｈ  オーリング
４  装飾体
４ａ  基板
４ｂ  枠体
４ｃ  電線案内孔
５  調光器
６  変換器
７  電飾花輪本体
８  立設具
８ａ  嵌合部材
８ｂ  嵌入部材
８ｃ  台座
８ｄ  脚車
９  表示板
１０  電線
【図１】
0003199215.tif 000003
【図２】
0003199215.tif 000004
【図３】
0003199215.tif 000005
【図４】
0003199215.tif 000006